(57)【要約】【課題】簡単に設置することができるとともに止水性能を向上させることができる止水シート及び止水装置を提供する。【解決手段】止水シート２Ａにおける第１面部１１の下面に止水部材１４Ａ、１４Ｂが設けられていることで、第１面部１１と地面Ｇとの間に水が浸入することを抑制して止水性能を向上させることができる。シート本体１０の重量を軽くしても止水性能を向上させることができ、止水シート２Ａを簡単に設置することができる。第１面部１１に直接接触領域Ａ１が形成され、止水部材１４Ａ、１４Ｂと組み合わされることにより、止水性能をさらに向上させることができる。【選択図】図２
2016132860.tif 000002
【特許請求の範囲】
【請求項１】
地面に沿って配置される第１面部、地面に対して立設された壁部に沿って配置される第２面部、及び、前記第１面部と前記第２面部との間の境界部を有する防水性のシート本体を備え、
前記第１面部の下面には、前記境界部に沿って延びるとともに地面に当接可能な止水部材が該境界部と間隔をあけて設けられ、
前記第２面部には、前記壁部に取り付け可能な取付部が設けられていることを特徴とする止水シート。
【請求項２】
前記第１面部は、前記止水部材の上方に、該止水部材を地面に圧接させるための第１圧接部材を収容可能な第１収容部を有することを特徴とする請求項１に記載の止水シート。
【請求項３】
前記境界部は、前記第２面部に張力を付与するための張力付与部材を収容可能な第２収容部を有することを特徴とする請求項１又は２に記載の止水シート。
【請求項４】
前記第２面部は、面直方向の圧力による変形を抑制するための補強部材を収容可能な第３収容部を有することを特徴とする請求項１〜３のいずれか１項に記載の止水シート。
【請求項５】
請求項１〜４のいずれか１項に記載された止水シートと、
前記止水部材の上方に位置するように前記第１面部上に載置されるとともに該止水部材を地面に圧接させるための第２圧接部材と、を備えることを特徴とする止水装置。
【請求項６】
前記壁部を有して自立可能な壁部材をさらに備えることを特徴とする請求項５に記載の止水装置。
【請求項７】
前記壁部と地面とが交差する角部に設けられる角部材をさらに備え、
前記角部材は、前記角部において前記壁部及び地面に当接可能な角当接部と、前記壁部及び地面に滑らかに連続するとともに前記止水シートを貼付可能なシート貼付面と、を有することを特徴とする請求項５又は６に記載の止水装置。
【発明の詳細な説明】
【技術分野】
【０００１】
本発明は、止水シート及び止水装置に関する。
【背景技術】
【０００２】
従来、直立固定された止水枠板と、この止水枠板を被覆する防水布と、を備えた洪水防止用止水板（止水装置）が提案されている（例えば、特許文献１参照）。特許文献１に記載された従来の止水装置は、洪水時に土嚢の代わりに用いられ、土嚢よりも容易に設置される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、防水布と地面との間に水が浸入してしまい、この水を止水できなくなってしまう可能性がある。そこで、防水布の重量を重くすることによって地面との間に水が浸入することを抑制する対応も考えられるものの、防水布が重くなると止水枠板を被覆する際の作業性が低下してしまう。
【０００５】
本発明の目的は、簡単に設置することができるとともに止水性能を向上させることができる止水シート及び止水装置を提供することにある。
【課題を解決するための手段】
【０００６】
本発明の止水シートは、地面に沿って配置される第１面部、地面に対して立設された壁部に沿って配置される第２面部、及び、前記第１面部と前記第２面部との間の境界部を有する防水性のシート本体を備え、前記第１面部の下面には、前記境界部に沿って延びるとともに地面に当接可能な止水部材が該境界部と間隔をあけて設けられ、前記第２面部には、前記壁部に取り付け可能な取付部が設けられていることを特徴とする。
【０００７】
以上のような本発明によれば、第１面部の上面に流れて壁部側に向かう水を第２面部によって止水することができる。さらに、第１面部の下面に止水部材が設けられていることで、第１面部の上面に水が流れ込んだ際に、水圧と水の重量とによって止水部材を地面に押し付けることができ、第１面部と地面との間に水が浸入することを抑制して止水性能を向上させることができる。このように水圧と水の重量とを利用することによって止水性能を向上させることで、シート本体の重量を軽くすることができ、止水シートを簡単に設置することができる。また、止水部材が境界部と間隔をあけて設けられていることで、この間隔において第１面部の下面が地面に押し付けられる。即ち、止水部材と、第１面部の下面のうち止水部材が設けられていない部分と、の両方が地面に押し付けられ、これらが組み合わされることにより、止水性能をさらに向上させることができる。尚、第２面部が取り付けられる壁部は、建物の外壁であってもよいし、建物とは独立に設けられた部材の壁部であってもよい。
【０００８】
この際、本発明の止水シートでは、前記第１面部は、前記止水部材の上方に、該止水部材を地面に圧接させるための第１圧接部材を収容可能な第１収容部を有することが好ましい。このような構成によれば、第１収容部が第１圧接部材を収容することにより、止水部材を地面に圧接させ、第１面部と地面との間に水が浸入することをさらに抑制することができる。このとき、第１収容部は、第１圧接部材を着脱可能に設けられていることがより好ましい。このような構成によれば、先にシート本体を設置してから第１圧接部材を収容させることができ、設置作業を容易に実施することができる。さらに、第１圧接部材を取り外してシート本体をコンパクトに収納することができる。さらに、第１収容部は、第１面部の先端側（境界部から離れた側）に設けられていることがより好ましく、このような構成によれば、第１面部と地面との間に水が浸入することをより一層抑制することができる。
【０００９】
さらに、本発明の止水シートでは、前記境界部は、前記第２面部に張力を付与するための張力付与部材を収容可能な第２収容部を有することが好ましい。このような構成によれば、第２収容部に張力付与部材を収容することにより、第２面部が撓んでしまうことを抑制し、境界部を地面に近づけやすくすることができる。従って、第１面部を境界部側において地面から浮きにくくして水圧が充分に加わるようにすることができ、第１面部と地面との間に水が浸入することをさらに抑制することができる。このとき、第２収容部は、第１収容部と同様に張力付与部材を着脱可能に設けられていることがより好ましい。
【００１０】
また、本発明の止水シートでは、前記第２面部は、面直方向の圧力による変形を抑制するための補強部材を収容可能な第３収容部を有することが好ましい。このような構成によれば、第３収容部に補強部材を収容することにより、第１面部の上面を流れる水によって第２面部に対して面直方向の圧力が加わった場合に、第２面部の変形を抑制し、第２面部が取り付けられた壁部に局所的な圧力が加わることを抑制することができる。従って、壁部が例えばガラス等の強度の低い部材によって構成されている場合に損傷しにくくすることができる。
【００１１】
一方、本発明の止水装置は、前記いずれかに記載された止水シートと、前記止水部材の上方に位置するように前記第１面部上に載置されるとともに該止水部材を地面に圧接させるための第２圧接部材と、を備えることを特徴とする。
【００１２】
このような本発明の止水装置によれば、止水シートを設置するとともに第１面部に第２圧接部材を載置することにより、止水装置を簡単に設置することができるとともに、止水部材を地面に圧接させて止水性能を向上させることができる。
【００１３】
また、本発明の止水装置では、前記壁部を有して自立可能な壁部材をさらに備えることが好ましい。このような構成によれば、壁部材を適宜な位置に設置して止水シートを取り付けることができ、止水シートを建物の外壁に取り付ける構成と比較して、設置の自由度を向上させることができる。
【００１４】
さらに、本発明の止水装置では、前記壁部と地面とが交差する角部に設けられる角部材をさらに備え、前記角部材は、前記角部において前記壁部及び地面に当接可能な角当接部と、前記壁部及び地面に滑らかに連続するとともに前記止水シートを貼付可能なシート貼付面と、を有することが好ましい。このような構成によれば、角部において角当接部を壁部及び地面に当接させるとともに、止水シートをシート貼付面に貼付することによって、角部において止水シートを壁部及び地面に直接接触させる構成と比較して、角部における止水性を向上させることができる。
【発明の効果】
【００１５】
以上のような本発明の止水シート及び止水装置によれば、第１面部の下面に境界部と間隔をあけて止水部材が設けられていることで、簡単に設置することができるとともに止水性能を向上させることができる。
【図面の簡単な説明】
【００１６】
【図１】本発明の第１実施形態に係る止水装置の止水シートを示す平面図である。
【図２】前記止水装置が設置された様子を示す断面図である。
【図３】前記止水装置が設置された様子を示す断面図である。
【図４】本発明の第２実施形態に係る止水装置ユニットを示す斜視図である。
【図５】前記止水装置ユニットを構成する止水装置を示す断面図である。
【図６】本発明の第３実施形態に係る止水装置を示す斜視図である。
【図７】前記止水装置の壁部材を示す斜視図である。
【図８】前記止水装置の角部材を示す斜視図及び断面図である。
【発明を実施するための形態】
【００１７】
以下、本発明の各実施形態を図面に基づいて説明する。なお、第２、３実施形態においては、第１実施形態で説明する構成部材と同じ構成部材及び同様な機能を有する構成部材には、第１実施形態と同じ符号を付すとともに説明を省略する。
【００１８】
〔第１実施形態〕
本実施形態の止水装置１Ａは、図１、２に示すように、止水シート２Ａと、止水シート２Ａに載置される第２圧接部材３と、を備え、後述する第２面部が壁部としての建物の外壁Ｗに沿って設置されることで、この建物への浸水を抑制するためのものである。尚、本実施形態における止水シート２Ａの幅方向及び長手方向は図１に示す通りとするが、止水シート２Ａは、図１に示す長手方向の寸法が幅方向の寸法よりも小さく形成されていてもよい。また、図１は、止水シート２Ａの裏面（地面Ｇ及び外壁Ｗ側の面）を示し、図２は、設置された止水装置１Ａを側方から見た際の断面図であり、図３は、設置された止水装置１Ａを上方から見た際の断面図である。本実施形態では、地面Ｇが水平に延びるとともに外壁Ｗが鉛直方向に立設されるものとするが、地面Ｇが傾斜していてもよいし、外壁Ｗが鉛直方向から多少の傾きを有していてもよい。
【００１９】
止水シート２Ａは、地面Ｇに沿って配置される第１面部１１、外壁Ｗに沿って配置される第２面部１２、及び、第１面部１１と第２面部１２との間の境界部１３を有する防水性のシート本体１０を備える。シート本体１０は、例えばポリエチレン等の合成樹脂によって形成されたタープ（ブルーシート）である。
【００２０】
第１面部１１は、地面Ｇに当接可能な止水部材１４Ａ〜１４Ｃがその裏面（下面）に設けられるとともに、第１圧接部材１５を収容可能な第１収容部１６を有する。
【００２１】
止水部材１４Ａ〜１４Ｃは、例えばゴムや軟質な樹脂等によって弾性変形可能に構成されるとともに、第１面部１１の長手方向の略中央部において幅方向に（境界部１３に沿って）延びる一対の止水部材１４Ａと、止水部材１４Ａよりも先端側（境界部１３から離れた位置）において幅方向に（境界部１３に沿って）延びる一対の止水部材１４Ｂと、長手方向に延びる一対の止水部材１４Ｃと、で構成されている。止水部材１４Ａは、境界部１３から間隔をあけることで第１面部１１に直接接触領域Ａ１を形成する。止水部材１４Ｂは、後述するように第１圧接部材１５が上方に設けられることから、第１面部１１の表面（上面）を平坦にするために止水部材１４Ａよりも上下方向寸法が小さく形成されている。また、止水部材１４Ａ、１４Ｂは、一対の止水部材１４Ｃの間において延びている。尚、止水部材１４Ａ、１４Ｂは、幅方向に対して多少の傾きを有して延びていてもよい。止水部材１４Ｃは、止水部材１４Ａ近傍から先端側に向かって延びるものとするが、境界部１３側にも延びていてもよいし、省略されていてもよい。また、止水部材１４Ａ〜１４Ｃは、地面Ｇに加える圧力が高くなるように、地面Ｇ側が先細った楔状に形成されている。
【００２２】
第１圧接部材１５は、例えば適宜な金属によって板状に形成されている。尚、第１圧接部材１５は、水よりも高い密度を有する適宜な部材で形成されていればよく、その形状は板状に限定されず棒状等であってもよい。
【００２３】
第１収容部１６は、シート本体１０の先端が折り返されることによって幅方向に延びる袋状に形成され、第１圧接部材１５を止水部材１４Ｂの上方に収容可能に構成されている。第１収容部１６の幅方向の端部は、一方が開閉可能に形成されるとともに他方が閉じられており、第１収容部１６に第１圧接部材１５を収容したり取り出したりすることができるように（即ち、着脱可能に）なっている。尚、第１収容部１６の幅方向の端部は、両方が開閉可能に形成されていてもよいし、両方が開放されるとともに第１収容部１６内に第１圧接部材１５を固定する部材が設けられていてもよいし、両方が閉じられて第１圧接部材１５が取り出し不能になっていてもよい。
【００２４】
第２面部１２は、裏面（外壁Ｗ側の面）に接着シート１７が設けられるとともに、補強部材１８を収容可能な２つの第３収容部１９を有する。
【００２５】
接着シート１７は、長手方向において境界部１３から離れた側の端縁と、幅方向両側の端縁と、に設けられ、外壁Ｗに接着される。即ち、接着シート１７が取付部として機能する。
【００２６】
補強部材１８は、例えば適宜な金属によって棒状に形成され、第２面部１２に面直方向の圧力が加わった際に、上方から見て第２面部１２が外壁Ｗ側に凸に変形しないように適宜な強度を有している。尚、補強部材１８は、このような強度を有していれば、その材質は限定されないとともに、その形状は棒状に限定されず板状や筒状等のその他の適宜な形状であってもよい。
【００２７】
第３収容部１９は、第２面部１２の裏面に帯状の部材が貼り付けられることによって幅方向に延びる袋状に形成されている。尚、第２面部１２の表面に帯状の部材が貼り付けられることによって第３収容部が形成されていてもよい。第３収容部１９の幅方向の端部は、一方が開閉可能に形成されるとともに他方が閉じられており、第３収容部１９に補強部材１８を収容したり取り出したりすることができるように（即ち、着脱可能に）なっている。尚、第３収容部１９の幅方向の端部は、両方が開閉可能に形成されていてもよいし、両方が開放されるとともに第３収容部１９内に補強部材１８を固定する部材が設けられていてもよいし、両方が閉じられて補強部材１８が取り出し不能になっていてもよい。
【００２８】
境界部１３は、張力付与部材２０を収容可能な第２収容部２１を有する。張力付与部材２０は、例えば適宜な金属によって棒状に形成され、後述するように外壁Ｗに取り付けられた第２面部１２に対し、その重さによって張力を付与するように構成されている。尚、張力付与部材２０は、第２面部１２に対して充分な張力を付与することができるような重量を有していれば、その材質は限定されないとともに、その形状は棒状に限定されず板状や筒状等のその他の適宜な形状であってもよい。
【００２９】
第２収容部２１は、境界部１３の表面に帯状の部材が貼り付けられることによって幅方向に延びる袋状に形成されている。尚、境界部１３の裏面に帯状の部材が貼り付けられることによって第２収容部が形成されていてもよい。第２収容部２１の幅方向の端部は、一方が開閉可能に形成されるとともに他方が閉じられており、第２収容部２１に張力付与部材２０を収容したり取り出したりすることができるように（即ち、着脱可能に）なっている。尚、第２収容部２１の幅方向の端部は、両方が開閉可能に形成されていてもよいし、両方が開放されるとともに第２収容部２１内に張力付与部材２０を固定する部材が設けられていてもよいし、両方が閉じられて張力付与部材２０が取り出し不能になっていてもよい。
【００３０】
第２圧接部材３は、第１圧接部材１５と同様に、例えば適宜な金属によって板状に形成され、止水部材１４Ａ、１４Ｂの上方に位置するように第１面部１１に載置される。
【００３１】
以下、止水装置１Ａの設置方法について説明する。まず、第２収容部２１に張力付与部材２０を収容させ、境界部１３を外壁Ｗと地面Ｇとの間の角部に配置し、接着シート１７を外壁Ｗに貼付することで第２面部１２を外壁Ｗに取り付ける。このとき、接着シート１７を下方側から徐々に貼付していき、第２面部１２に皺や撓みが発生しないようにすることが好ましい。また、第３収容部１９が第２面部１２の裏面側に形成されていることから、第３収容部１９近傍が外壁Ｗに貼付される前に、第３収容部１９に補強部材１８を収容させる。
【００３２】
次に、第１収容部１６に第１圧接部材１５を収容させ、第１面部１１を地面Ｇに載置する。このとき、第１面部１１の直接接触領域Ａ１が地面Ｇに接触するようにしつつ、止水部材１４Ａ〜１４Ｃの先端を地面Ｇに当接させる。尚、載置前に地面Ｇ上に水が存在する場合には、第１面部１１と地面Ｇとの間になるべく水が入り込まないようにすることが好ましい。次いで、第２圧接部材３を止水部材１４Ａ、１４Ｂの上方に位置するように第１面部１１に載置する。
【００３３】
複数の止水装置１Ａが幅方向に並設されて用いられてもよく、このとき、隣り合う止水装置１Ａにおいて止水部材１４Ｃ同士を当接させることにより、止水部材１同士の間から水が浸入してしまうことを抑制することができる。
【００３４】
以上のような止水装置１Ａは、次のように収納及び保管される。即ち、第２圧接部材３を止水シート２Ａ上から撤去するとともに、接着シート１７を外壁Ｗから剥離する。さらに、第１圧接部材１５、補強部材１８及び張力付与部材２０を取り外し、シート本体１０を筒状に丸める。このとき、第１圧接部材１５や補強部材１８、張力付与部材２０、第２圧接部材３を芯にしてシート本体１０を丸めてもよい。このように丸められたシート本体１０を図示しない筒状のケースに収納し、保管する。
【００３５】
以下、止水装置１Ａの作用について説明する。前述のように止水装置１Ａを設置した状態において、雨が降ることによって図２に二点鎖線で示すように第１面部１１全体が水に浸かったとする。このとき、最も左側（第１面部１１の先端側）の止水部材１４Ｂには、右側への水圧が加わって浸水しようとするものの、止水部材１４Ｂには、圧接部材３、１５の重量、水圧、及び、水の重量によって下方への力が加わっており、浸水が抑制される。さらに、止水部材１４Ａ、１４Ｂを水が通過して直接接触領域Ａ１まで到達してしまっても、この水の右方への水圧は直接接触領域Ａ１に加わる下方への圧力と略等しく、直接接触領域Ａ１には水の重量も加わることから、この水が直接接触領域Ａ１を通過することが抑制される。
【００３６】
さらに、第１面部１１の上方の水は、第２面部１２によって外壁Ｗ側に向かうことが遮られる。このとき、第２面部１２には面直方向に水圧がかかるものの、補強部材１８が設けられていることから、第２面部１２を図３のように上方から見た際に、外壁Ｗに向かって凸に撓み変形することが抑制される。
【００３７】
このような本実施形態によれば、以下のような効果がある。即ち、第１面部１１の下面に止水部材１４Ａ、１４Ｂが設けられていることで、第１面部１１と地面Ｇとの間に水が浸入することを抑制して止水性能を向上させることができる。このとき、シート本体１０の重量を軽くしても止水性能を向上させることができ、止水シート２Ａを簡単に設置することができる。また、第１面部１１に直接接触領域Ａ１が形成され、止水部材１４Ａ、１４Ｂと組み合わされることにより、止水性能をさらに向上させることができる。
【００３８】
また、第１収容部１６が第１圧接部材１５を収容することにより、止水部材１４Ｂを地面に圧接させ、第１面部１１と地面Ｇとの間に水が浸入することをさらに抑制することができる。さらに、第１収容部１６が第１面部１１の先端側に設けられていることから、第１面部１１と地面Ｇとの間に水が浸入することをさらに抑制することができる。
【００３９】
さらに、第２収容部２１に張力付与部材２０を収容することにより、第２面部１２が撓んでしまうことを抑制し、境界部１３を地面Ｇに近づけやすくすることができる。従って、第１面部１１を境界部１３側において地面Ｇから浮きにくくして水圧が充分に加わるようにすることができ、第１面部１１と地面Ｇとの間に水が浸入することをさらに抑制することができる。
【００４０】
また、第３収容部１９に補強部材１８を収容することにより、水圧による第２面部１２の変形を抑制し、第２面部が取り付けられた外壁Ｗに局所的な圧力が加わることを抑制することができる。従って、外壁Ｗが例えばガラス等の強度の低い部材によって構成されている場合に損傷しにくくすることができる。
【００４１】
さらに、止水部材１４Ａ、１４Ｂの上方に第２圧接部材３が載置されることから、第１面部１１と地面Ｇとの間に水が浸入することをさらに抑制することができる。
【００４２】
〔第２実施形態〕
本実施形態の止水装置ユニット１００は、図４に示すように、外壁Ｗから離隔して配置される止水装置１Ｂと、外壁Ｗ側の止水装置１Ｃと、止水装置１Ｂ、１Ｃの間の角部に設けられる止水装置１Ｄと、で構成される。
【００４３】
止水装置１Ｂは、図５に示すように、止水シート２Ｂと、第２圧接部材３と、壁部材４Ａと、を備える。
【００４４】
止水シート２Ｂは、前記第１実施形態の止水シート２Ａと同様に、第１面部１１と第２面部１２と境界部１３とを有するシート本体１０を備え、第１面部１１の裏面には、幅方向に延びる一対の止水部材１４Ｄが設けられている。尚、止水シート２Ｂは、前記第１実施形態のような第１〜第３収容部１６、２１、１９を有していないものとするが、これらの収容部を適宜に有していてもよい。
【００４５】
第２面部１２は、壁部材４Ａの壁部４１に取り付けられる。このとき、例えば、前記第１実施形態のように接着シートによって取り付けられ、接着シートが取付部として機能してもよいし、図５に示すように第２面部１２が壁部４１の上端において折り返されて図示しないクリップ等によって壁部４１とともに挟み込まれ、この挟み込まれる部分が取付部となってもよいし、第２面部１２及び壁部４１に貫通孔が形成されるとともに固着部材が挿通されて互いに固定され、第２面部１２の貫通孔が取付部となってもよく、その取付方法は任意である。
【００４６】
壁部材４Ａは、地面Ｇに対して略垂直に立設される壁部４１と、壁部材４Ａを自立させるための底部４２と、を有して側面視Ｌ字状に形成されるとともに、壁部４１と底部４２とを接続する補強部４３がさらに設けられ、自立可能に構成されている。尚、壁部４１は鉛直方向や地面Ｇとの直交方向に対して多少の傾きを有していてもよい。
【００４７】
壁部４１及び底部４２は、例えば平板状の木材によって構成されるものとするが、壁部４１は外壁Ｗの反対側の側面を有するとともに所定の強度を有するものであればよく、底部４２は壁部材４Ａを自立させるものであればよく、壁部４１及び底部４２の形状や材質は適宜なものであればよい。また、補強部４３は、棒状の木材によって構成されるものとするが、壁部４１の外壁Ｗ側への倒れを抑制するものであればよく、その形状や材質は任意であるとともに、壁部４１と底部４２とが強固に固定されて壁部４１の外壁Ｗ側への倒れが充分に抑制されていれば、補強部４３は省略されていてもよい。
【００４８】
外壁Ｗ側の止水装置１Ｃは、止水シート２Ｂと、第２圧接部材３と、壁部材４Ｂと、を備える。止水シート２Ｂ及び第２圧接部材３は、止水装置１Ｂと同様の構成を有している。
【００４９】
壁部材４Ｂは、壁部材４Ａの壁部４１に当接部４４が設けられたものである。当接部４４は、外壁Ｗに当接可能な当接面を有しており、この当接面に図示しない接着シートが設けられることによって外壁Ｗに接着され、壁部材４Ｂと外壁Ｗとの間に水が浸入することが抑制される。
【００５０】
止水装置１Ｂ、１Ｃの間の角部に設けられる止水装置１Ｄは、止水シート２Ｃと、第２圧接部材３Ｂと、壁部材４Ｃと、を備える。壁部材４Ｃは、互いに略直交した２つの壁部と、壁部材４Ｃを自立させるための底部と、を有している。止水シート２Ｃは、それぞれ２つの壁部に対応するように分割されており、第１面部の先端側が円弧状に形成され、第１面部の裏側において止水部材がこの円弧に沿って延びている。第２圧接部材３Ｂは、円弧状に形成されている。
【００５１】
以下、止水装置ユニット１００の設置方法について説明する。まず、外壁Ｗの開口部に設けられた扉体Ｄを囲むように、壁部材４Ａ〜４Ｃを配置するとともに、壁部材４Ｂの当接部４４の当接面を外壁Ｗに貼り付ける。このとき、隣り合う壁部材同士の間に隙間ができないようにすることが好ましく、壁部同士が多少重なるように配置してもよい。さらに、壁部材４Ａ〜４Ｃが倒れたり、水圧によって外壁Ｗ側に移動したりすることを抑制するために、壁部材４Ａ〜４Ｃの底部に適宜な重量物を載置してもよい。次に、前記第１実施形態の止水装置１Ａと同様に、止水シート２Ｂ、２Ｃの第２面部を壁部に取り付けるとともに第１面部を地面Ｇに載置し、第２圧接部材３、３Ｂを止水部材の上方に位置するように載置する。
【００５２】
このような本実施形態によれば、前記第１実施形態と同様の効果を奏することができる。さらに、止水装置１Ｂ〜１Ｄは、壁部材４Ａ〜４Ｃを備えることで、壁部材４Ａ〜４Ｃを適宜な位置に設置して止水シート２Ｂ、２Ｃを取り付けることができ、設置の自由度を向上させることができる。さらに、止水シート２Ｂ、２Ｃを外壁Ｗに取り付ける必要がなく、接着によって外壁Ｗが汚れてしまうことを抑制することができるとともに、外壁Ｗの表面が粗く形成されて接着しにくい場合であっても第２面部を壁部に取り付けることができる。
【００５３】
〔第３実施形態〕
本実施形態の止水装置１Ｅは、図６、７に示すように、止水シート２Ｄと、第２圧接部材３Ｃ、３Ｄと、壁部材４Ｄと、角部材５と、を備える。
【００５４】
止水シート２Ｄは、地面Ｇに沿って配置される前記第１、２実施形態と同様の第１面部と、壁部材４Ｄの壁部４１Ｂ、４１Ｃ及び外壁Ｗのそれぞれに取り付けられる第２面部１２Ｂ、１２Ｃ、１２Ｄと、を有するシート本体１０Ｂを備える。シート本体１０Ｂは、複数のシート部材が例えば縫製によって繋ぎ合わされることによって、全体が１枚のシートとなっている。
【００５５】
壁部材４Ｄは、外壁Ｗに略直交するように設けられる２枚の壁部４１Ｂと、２枚の壁部４１Ｂの間において外壁Ｗと略平行となるように設けられる壁部４１Ｃと、を備え、壁部４１Ｂと壁部４１Ｃとが互いに固定されることによって自立可能に構成されている。
【００５６】
角部材５は、図８（Ａ）に示すように、外壁Ｗと地面Ｇと壁部４１Ｂとが交差する角部Ｃに設けられる。尚、角部材５は、壁部４１Ｂから多少離れた位置に設けられてもよい。角部材５は、角部Ｃにおいて外壁Ｗ及び地面Ｇに当接可能な角当接部５１と、外壁Ｗ及び地面Ｇに滑らかに連続するシート貼付面５２と、を有する。角当接部５１は、外壁Ｗに当接する壁当接面５１１と、地面Ｇに当接する地面当接面５１２と、を有する。壁当接面５１１及び地面当接面５１２は、それぞれ外壁Ｗと地面Ｇとの間にコーキング剤が充填され、止水される。
【００５７】
シート貼付面５２は、図８（Ｂ）に示すように、円弧状に形成されており、シート貼付面５２の上端における接線が上下方向に延び、外壁Ｗから離れた側の端部における接線が水平方向に延びることにより、外壁Ｗ及び地面Ｇに滑らかに連続するようになっている。シート貼付面５２には、例えば接着シートを用いて止水シート２Ｄが貼付され、止水シート２Ｄと外壁Ｗとの間、及び、止水シート２Ｄと地面Ｇとの間に隙間が生じにくくなっている。
【００５８】
このような本実施形態によれば、前記第１、２実施形態と同様の効果を奏することができる。さらに、角部Ｃに角部材５が設けられることで、角部Ｃにおいて止水シート２Ｄを外壁Ｗ及び地面に直接接触させる構成と比較して、角部Ｃにおける止水性を向上させることができる。
【００５９】
なお、本発明は、前記実施形態に限定されるものではなく、本発明の目的が達成できる他の構成等を含み、以下に示すような変形等も本発明に含まれる。例えば、前記第１〜３実施形態では、止水シート２Ａ〜２Ｄに第２圧接部材３、３Ｂ〜３Ｄが載置されるものとしたが、止水部材１４Ｂ、１４Ｄの地面Ｇに対する圧力が高く、水の浸入が充分に抑制されている場合には、第２圧接部材３、３Ｂ〜３Ｄが省略されていてもよい。即ち、前記第１実施形態において第２圧接部材３が省略され、止水シート２Ａが単独で用いられてもよい。
【００６０】
また、前記第１実施形態では、補強部材１８が止水シート２Ａの幅方向に沿って延びるものとしたが、長手方向に延びる補強部材が設けられてもよい。
【００６１】
また、前記第２実施形態では、止水装置ユニット１００が建物の外壁Ｗの周辺に設けられるものとしたが、止水装置ユニット１００は、止水のために適宜な位置に設けられればよく、例えば、河川に沿って設けられて氾濫を抑制するように用いられてもよい。このとき、止水装置１Ｂ〜１Ｄは適宜に組み合わされればよい。
【００６２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６３】
１Ａ〜１Ｅ         止水装置
２Ａ〜２Ｄ         止水シート
３、３Ｂ〜３Ｄ     第２圧接部材
４Ａ〜４Ｄ         壁部材
５                 角部材
１０               シート本体
１１               第１面部
１２               第２面部
１３               境界部
１４Ａ〜１４Ｄ     止水部材
１５               第１圧接部材
１６               第１収容部
１７               接着シート
１８               補強部材
１９               第３収容部
２０               張力付与部材
２１               第２収容部
４１               壁部
５１               角当接部
５２               シート貼付面
Ｗ                 外壁（壁部）
Ｇ                 地面
Ｃ                 角部
【図１】
2016132860.tif 000003
【図２】
2016132860.tif 000004
【図３】
2016132860.tif 000005
【図４】
2016132860.tif 000006
【図５】
2016132860.tif 000007
【図６】
2016132860.tif 000008
【図７】
2016132860.tif 000009
【図８】
2016132860.tif 000010